(57)【要約】【課題】コスト低減と省スペースを実現する。【解決手段】待ち受け側ハウジング１０には、同ハウジング１０をパネル１に開口された取付孔２を貫通した形態で仮保持する仮保持手段２０が設けられる。嵌合側ハウジング３０には、同ハウジング３０が待ち受け側ハウジング１０に対して正規嵌合された際には仮保持手段２０による仮保持を解除して嵌合側ハウジング３０を待ち受け側ハウジング１０ともども取付孔２を通って押し込み可能とする仮保持解除手段４０と、嵌合側ハウジング３０が正規位置まで押し込まれたところで同ハウジング３０をパネル１に対して本保持する本保持手段４５と、嵌合側ハウジング３０に外嵌され同ハウジング３０が本保持された場合に取付孔２の孔縁部３Ｓと間で挟持される被挟持部６６，６７を有するグロメット６０と、が設けられる。【選択図】図１４
2015069835.tif 000002
【特許請求の範囲】
【請求項１】
パネルに待ち受け状態で配される待ち受け側ハウジングと、同待ち受け側ハウジングに対して嵌合される嵌合側ハウジングと、を備え、
前記待ち受け側ハウジングには、同待ち受け側ハウジングを前記パネルに開口された取付孔を貫通した形態で仮保持する仮保持手段が設けられるとともに、
前記嵌合側ハウジングには、同嵌合側ハウジングが前記待ち受け側ハウジングに対して正規嵌合された際には前記仮保持手段による仮保持を解除して前記嵌合側ハウジングを前記待ち受け側ハウジングともども前記取付孔を通って押し込み可能とする仮保持解除手段と、
前記嵌合側ハウジングが正規位置まで押し込まれたところで同嵌合側ハウジングを前記パネルに対して本保持する本保持手段と、
前記嵌合側ハウジングに外嵌され同嵌合側ハウジングが本保持された場合に前記取付孔の孔縁部と間で挟持される被挟持部を有するグロメットと、が設けられていることを特徴とするコネクタ。
【請求項２】
前記待ち受け側ハウジングには、前記パネルの前記取付孔における表面側の孔縁部に弾性的に係止して、同待ち受け側ハウジングを前記パネルの前記取付孔を貫通した形態で仮保持する仮保持片が設けられるとともに、
前記嵌合側ハウジングには、同嵌合側ハウジングが前記待ち受け側ハウジングに対して正規嵌合された際には前記仮保持片と係合して同仮保持片の係止を解除する仮保持解除板と、
同嵌合側ハウジングの後端部において前記取付孔の表面側の孔縁部と対向するように張り出し形成されかつ前記グロメットの前記被挟持部が装着されたフランジと、
前記嵌合側ハウジングが前記グロメットの前記被挟持部を前記フランジと前記取付孔の表面側の孔縁部との間で圧縮しつつ正規位置まで押し込まれたところで、前記取付孔の裏面側の孔縁部に弾性的に係止して同嵌合側ハウジングを本保持する本保持片と、
が設けられていることを特徴とする請求項１記載のコネクタ。
【請求項３】
前記嵌合側ハウジングには、前記待ち受け側ハウジングと係合して嵌合力を助勢するレバーが設けられていることを特徴とする請求項１または請求項２記載のコネクタ。
【発明の詳細な説明】
【技術分野】
【０００１】
本発明は、パネル取付型の防水コネクタに関する。
【背景技術】
【０００２】
従来この種のコネクタとして、下記特許文献１に記載されたようなものが知られている。このものは、パネルに開口された取付孔に、フランジを有する雄側ハウジング（待ち受け側ハウジング）が複数の弾性部材により待ち受け状態で装着される一方、ハーネスの端末に雌側ハウジング（嵌合側ハウジング）が設けられ、同嵌合側ハウジングがレバー等の倍力機構を介して嵌合されるようになっている。そして、このようなコネクタでは、パネルの取付孔からの浸水を防止するために、待ち受け側ハウジングと取付孔の裏面側の孔縁部との間に面パッキン（面シール）を介設するとともに、両ハウジング間にシールリング（軸シール）を介設し、さらに嵌合側ハウジングのハーネスの引き出し部分をグロメットで覆った構造が一般的に採られている。
【先行技術文献】
【特許文献】
【０００３】
【特許文献１】特開２００８−１０３３２５号公報
【発明の概要】
【発明が解決しようとする課題】
【０００４】
しかしながら上記のようなコネクタでは、パネルの取付孔の防水構造が都合３箇所に防水部材を配した構造となっているため、部品点数並びに組付工数が多く、コスト高に繋がるという問題があった。
本発明は上記のような事情に基づいて完成されたものであって、その目的は、コスト低減と省スペースを実現するところにある。
【課題を解決するための手段】
【０００５】
本発明のコネクタは、パネルに待ち受け状態で配される待ち受け側ハウジングと、同待ち受け側ハウジングに対して嵌合される嵌合側ハウジングと、を備え、前記待ち受け側ハウジングには、同待ち受け側ハウジングを前記パネルに開口された取付孔を貫通した形態で仮保持する仮保持手段が設けられるとともに、前記嵌合側ハウジングには、同嵌合側ハウジングが前記待ち受け側ハウジングに対して正規嵌合された際には前記仮保持手段による仮保持を解除して前記嵌合側ハウジングを前記待ち受け側ハウジングともども前記取付孔を通って押し込み可能とする仮保持解除手段と、前記嵌合側ハウジングが正規位置まで押し込まれたところで同嵌合側ハウジングを前記パネルに対して本保持する本保持手段と、前記嵌合側ハウジングに外嵌され同嵌合側ハウジングが本保持された場合に前記取付孔の孔縁部と間で挟持される被挟持部を有するグロメットと、が設けられているところに特徴を有する。
【０００６】
待ち受け側ハウジングは初め、仮保持手段によってパネルの取付孔を貫通した形態の待ち受け状態に仮保持されている。この待ち受け側ハウジングに対して嵌合側ハウジングが嵌合され、正規嵌合されたところで同嵌合側ハウジングに設けられた仮保持解除手段により仮保持状態が解除され、引き続いて嵌合側ハウジングは待ち受け側ハウジングともども取付孔を通って押し込まれる。嵌合側ハウジングが正規位置まで押し込まれると、本保持手段によってパネルに対して本保持され、併せて嵌合側ハウジングに外嵌されたグロメットの被挟持部が、同嵌合側ハウジングとパネルの取付孔の孔縁部との間で挟持されてシールされる。  
パネルの取付孔を防水するに当たりグロメットのみで賄うことができ、部品点数並びに組付工数が削減できて、コスト低減を図ることができる。最終構造では、両ハウジングがパネルの裏側に押し込まれた形態となるから、パネルの取付孔の表側の省スペース化を図ることができる。
【０００７】
また、以下のような構成としてもよい。  
（１）前記待ち受け側ハウジングには、前記パネルの前記取付孔における表面側の孔縁部に弾性的に係止して、同待ち受け側ハウジングを前記パネルの前記取付孔を貫通した形態で仮保持する仮保持片が設けられるとともに、前記嵌合側ハウジングには、同嵌合側ハウジングが前記待ち受け側ハウジングに対して正規嵌合された際には前記仮保持片と係合して同仮保持片の係止を解除する仮保持解除板と、同嵌合側ハウジングの後端部において前記取付孔の表面側の孔縁部と対向するように張り出し形成されかつ前記グロメットの前記被挟持部が装着されたフランジと、前記嵌合側ハウジングが前記グロメットの前記被挟持部を前記フランジと前記取付孔の表面側の孔縁部との間で圧縮しつつ正規位置まで押し込まれたところで、前記取付孔の裏面側の孔縁部に弾性的に係止して同嵌合側ハウジングを本保持する本保持片と、が設けられている。
【０００８】
仮保持片により仮保持状態にある待ち受け側ハウジングに対して、嵌合側ハウジングが嵌合され、正規嵌合されたところで仮保持解除板が仮保持片を弾性変位させて係止が解除され、すなわち仮保持状態が解除される。続いて嵌合側ハウジングが待ち受け側ハウジングともども取付孔を通って押し込まれ、グロメットの被挟持部がフランジと取付孔の表面側の孔縁部との間で圧縮されつつ、嵌合側ハウジングが正規位置まで押し込まれると、本保持片が取付孔の裏面側の孔縁部に弾性的に係止して、嵌合側ハウジングが本保持される。
【０００９】
（２）前記嵌合側ハウジングには、前記待ち受け側ハウジングと係合して嵌合力を助勢するレバーが設けられている。  
最終構造として、嵌合側ハウジングともどもレバーがパネルの裏側に収容可能であり、言い換えると、レバーがパネルの表側に露出しないから、見栄えが良く、また異物がレバーに当たることに起因した誤作動も未然に防止できる。
【発明の効果】
【００１０】
本発明のコネクタによれば、コスト低減と省スペースを実現することができる。
【図面の簡単な説明】
【００１１】
【図１】本発明の一実施形態に係る両ハウジングの嵌合前の状態を示す斜視図
【図２】同側面図
【図３】図２のIII−III線断面図
【図４】両ハウジングの嵌合前の状態における嵌合側ハウジング側から視た背面図
【図５】図４のV−V線断面図
【図６】嵌合側ハウジングの正面側から視た斜視図
【図７】スライドレバーの斜視図
【図８】同側面図
【図９】両ハウジングが初期嵌合された状態の側面図
【図１０】図９のX−X線断面図
【図１１】両ハウジングが初期嵌合された状態における図４のV−V線切断相当の断面図
【図１２】両ハウジングが正規嵌合された状態の側面図
【図１３】図１２のXIII−XIII線断面図
【図１４】図１２のXIV−XIV線断面図
【図１５】両ハウジングが正規嵌合された状態の図４のV−V線切断相当の断面図
【図１６】嵌合側ハウジングの取付孔内への押し込み終盤の状態における図１２のXIII−XIII線切断相当の断面図
【図１７】嵌合側ハウジングが本保持された状態の斜視図
【図１８】同側面図
【図１９】図１８のXIX−XIX線断面図
【図２０】嵌合側ハウジングが本保持された状態の図４のV−V線切断相当の断面図
【図２１】両ハウジングが半嵌合に留まった状態の側面図
【図２２】図２１のXXII−XXII線断面図
【図２３】図２１のXXIII−XXIII線断面図
【図２４】両ハウジングが半嵌合に留まった状態の図４のV−V線切断相当の断面図
【発明を実施するための形態】
【００１２】
＜実施形態＞
本発明の一実施形態を図１ないし図２４によって説明する。この実施形態では、自動車のドアの配設部分に設けられるコネクタを例示している。このコネクタは、スライドレバー形式の防水コネクタであって、図１に示すように、車両のホディ側に張設されたパネル１に待ち受け状態で配される待ち受け側ハウジング１０と、ドア側から引き出されたハーネスの端末に接続されて上記の待ち受け側ハウジング１０に対して嵌合される嵌合側ハウジング３０とを備えている。
以下では、各ハウジング１０，３０において、互いに対向した嵌合面側を前側として説明する。
【００１３】
待ち受け側ハウジング１０は雄型ハウジングであって、合成樹脂材により概ね縦長のブロック状に形成され、詳細には、図１ないし図３に示すように、端子収容部１１の前面に、一回り小さい外形のフード部１２が突出形成された構造である。
端子収容部１１内には複数のキャビティ１４が縦横に並んで列設され、ボディ側に配された機器等から引き出されたハーネスの各電線の端末に接続された雄端子（図示せず）が、対応するキャビティ１４内に後方から挿入され、先端のタブをフード部１２内に突出させた形態で抜け止めされて収容されている。
【００１４】
パネル１には、待ち受け側ハウジング１０の端子収容部１１が略緊密に嵌合される縦長の長方形をなす取付孔２が開口されている。
一方、端子収容部１１における前端寄りの位置の外周には、上記した取付孔２よりも一回り大きい外形のフランジ１５が全周に亘って張り出し形成され、すなわちフランジ１５は、取付孔２の裏面側（図３の左側）の孔縁部３Ｒに当接可能となっている。
【００１５】
端子収容部１１の前端周縁には、短寸の周壁１６が延出形成されている。但し、左右の側壁には、上下両端部を除いて切欠凹部１６Ａが形成されている。周壁１６の上面の中央幅位置と、左右の側面の下端部寄りの位置（切欠凹部１６Ａの下端部）の都合３箇所に、仮保持片２０が設けられている。仮保持片２０は、先端に取付孔２の表面側（図３の右側）の孔縁部３Ｓに係止する係止部２１を備え、前方に向けて片持ち状に突出形成されており、先端が内方に向けて弾性変位可能となっている。仮保持片２０の係止部２１は、後面が切り立った係止面２２となっている一方、前面側が緩やかな上り勾配のガイド面２３となっている。係止部２１の係止面２２とフランジ１５との間には、パネル１の厚さに略等しい間隙が開けられている。
【００１６】
嵌合側ハウジング３０は雌型ハウジングであって、同じく合成樹脂材により縦長のブロック状に形成されており、詳細には、図３及び図６に示すように、上記した待ち受け側ハウジング１０のフード部１２内に嵌合する端子収容部３１の回りに、厚肉の周壁３２が設けられた２重構造となっている。この周壁３２は、待ち受け側ハウジング１０の端子収容部１１と同じく、パネル１の取付孔２に略緊密に嵌合する外形を有しており、周壁３２と端子収容部３１との間には、待ち受け側ハウジング１０のフード部１２が略緊密に嵌る嵌合溝３３が形成されている。なお、同周壁３２における端子収容部３１の後面から後方に突出した部分は、内面側が削成された薄壁部３２Ａ（図３参照）となっている。
【００１７】
嵌合側ハウジング３０の端子収容部３１には、複数のキャビティ３４が、待ち受け側ハウジング１０の端子収容部３１に設けられたキャビティ１４と対向した配列で形成されている。ドア側に配された機器等から引き出されたハーネスの各電線の端末に接続された雌端子（図示せず）が、対応するキャビティ３４内に後方から挿入され、抜け止めされて収容されている。
【００１８】
嵌合側ハウジング３０には、スライドレバー５０が装着されている。スライドレバー５０は合成樹脂製であって、図７及び図８に示すように、左右一対のスライド板５１の基端（上端）同士を操作板５２で繋いだ門形形状に形成されている。操作板５２の両端はスライド板５１よりも外方に突出している。  
一方、端子収容部３１の回りの周壁３２のうち左右の側壁には、図３及び図５に示すように、スライドレバー５０の両スライド板５１を上方から挿通可能な一対の挿通路３５が形成されているとともに、上壁には、操作板５２を面一に収める収容凹部３６が形成されている。
【００１９】
スライドレバー５０における両スライド板５１の先端側（図５の下側）には、所定の曲線形状をなすカム溝５３が左右対称に形成されている。カム溝５３の下端側（始端側）に設けられた出入口５４は、スライド板５１の手前側の端縁に開口している。各挿通路３５の前壁における略中央高さ位置には、導入口３７が開口されている。  
一方、待ち受け側ハウジング１０のフード部１２における左右の外側面の前縁寄りの位置には、中央高さ位置において、各カム溝５３に嵌合可能な左右一対のフォロワピン２５が立てられている。
【００２０】
各スライド板５１の前縁部には、下部位置に第１ロック片５７が、上部位置に第２ロック片５８がそれぞれ設けられている。両ロック片５７，５８は先端にロック部５７Ａ，５８Ａを有し、前後方向に弾性変位可能に上向きの姿勢で設けられている。
一方、各挿通路３５の前壁における上端寄りの所定位置には、図５に示すように、上記の第１ロック片５７のロック部５７Ａ、並びに第２ロック片５８のロック部５８Ａが弾性的に嵌合可能なロック孔３８が形成されている。なお、第２ロック片５８のロック部５８Ａの係止面は順テーパ面に形成され、セミロック構造となっている。
【００２１】
スライドレバー５０（スライド板５１）が挿通路３５に上方から挿通されると、図５に示すように、まず下側の第１ロック片５７のロック部５７Ａがロック孔３８に弾性的に嵌ることで、上方に抜け止めされる。この位置がスライドレバー５０の初期位置であって、カム溝５３の出入口５４と、挿通路３５の導入口３７とが整合した状態となる。
スライドレバー５０が上記の初期位置にある状態で、嵌合側ハウジング３０が待ち受け側ハウジング１０に嵌合されると、図１１に示すように、待ち受け側ハウジング１０のフォロワピン２５が挿通路３５の導入口３７を通って、出入口５４からカム溝５３の始端に臨む。続いて、スライドレバー５０が押し込まれると、フォロワピン２５がカム溝５３に沿って移動することに伴うカム作用により、両ハウジング１０，３０が互いに引き寄せられるようにして次第に嵌合され、フォロワピン２５がカム溝５３の終端に達したところで両ハウジング１０，３０が正規嵌合される。
【００２２】
最後は、図１５に示すように、フォロワピン２５がカム溝５３の遊び部５５を移動しつつスライドレバー５０が押し込まれ、操作板５２が収容凹部３６に面一に収まったところで押し込みが停止される。このとき上側の第２ロック片５８のロック部５８Ａがロック孔３８に弾性的に嵌ることで上方に抜け止めされ、この位置がスライドレバー５０のロック位置となる（但しセミロック）。
なお、操作板５２の両端を摘んで第２ロック片５８によるセミロックを解除しつつスライドレバー５０を引き上げると、フォロワピン２５が上記とは逆向きにカム溝５３に沿って移動することで、両ハウジング１０，３０が次第に離脱され、スライドレバー５０が、図１１に示すように、初期位置に至ったところで引き上げ操作が停止される。
【００２３】
嵌合側ハウジング３０の周壁３２における前縁には、図３及び図６に示すように、上面の中央幅位置と、左右の側面の下端部寄りの位置、すなわち待ち受け側ハウジング１０の各仮保持片２０と対向する位置ごとに、仮保持解除板４０が形成されている。仮保持解除板４０には、外面側に先細りとなるようにテーパ面４０Ａが形成されている。
図１０に示す状態から、待ち受け側ハウジング１０に対して嵌合側ハウジング３０が次第に嵌合されると、仮保持解除板４０が対向する仮保持片２０に乗り上げて同仮保持片２０を内方に弾性撓みさせ、両ハウジング１０，３０が正規嵌合した状態になると、図１４に示すように、仮保持片２０は、その係止部２１の頂上が周壁１６の外面の位置に退避するまで変位するようになっている。これにより、仮保持片２０によるパネル１の取付孔２への係止が解除される。
【００２４】
嵌合側ハウジング３０の周壁３２における左右の外側面には、図３及び図６に示すように、上下２箇所ずつの対称位置に、本保持片４５が形成されている。詳細には、本保持片４５は、挿通路３５の外壁３５Ａの前後方向の略中央位置から薄壁部３２Ａの後縁に亘って形成された一対のスリット４４の間において、後方を向いた片持ち状に延出形成され、延出端側が内方に向けて撓み変位可能となっている。挿通路３５の後壁には、撓み変位した本保持片４５の延出端を嵌めて逃がす逃がし凹部４２が形成されている。
【００２５】
本保持片４５の基端寄りの外面には、パネル１の取付孔２の裏面側の孔縁部３Ｒに係止する係止部４６が突出形成されている（図１９参照）。本保持片４５の係止部４６は、図３に示すように、後面が切り立った係止面４７Ａとなっている一方、前面側が上り勾配のガイド面４７Ｂとなっている。
嵌合側ハウジング３０の周壁３２における薄壁部３２Ａの後縁には、フランジ４８が全周に亘って張り出し形成されている。フランジ４８の前面と、本保持片４５の係止部４６の係止面４７Ａとの間には、所定の間隔（パネル１の厚さの６〜７倍程度）が採られている。
【００２６】
また、図７に示すように、スライドレバー５０の左右のスライド板５１における外面の後縁部の上下２位置、詳細には、同スライドレバー５０がロック位置まで押し込まれた場合における各本保持片４５の内方に対応する位置ごとに、同本保持片４５の延出端の撓み変位を許容する変位許容溝５９が凹み形成されている。この変位許容溝５９は、本保持片４５が略緊密に嵌る幅を有し、また溝底が後方に向けて深くなるテーパ状に形成されている。
【００２７】
嵌合側ハウジング３０には、図１及び図６に示すように、グロメット６０が装着されるようになっている。グロメット６０はゴム製であって、嵌合側ハウジング３０の後面を覆う長方形の漏斗状をなす本体部６１と、嵌合側ハウジング３０の後面に引き出されたのち一纏めにされたハーネス（図示せず）を挿通するべく本体部６１の中心から突設されたコルゲートチューブ状の電線挿通部６２と、を備えて構成されている。
【００２８】
グロメット６０の本体部６１の開口縁部には、嵌合側ハウジング３０の上記したフランジ４８に対する取付部６４が形成されている。取付部６４は、厚肉で長方形の枠状をなして形成されており、同取付部６４の内周面には、フランジ４８が嵌る嵌合溝６５が全周に亘って形成されている。  
グロメット６０の取付部６４の前面には、前方に向けてラッパ状に広がった密着部６６が形成されているとともに、同密着部６６の内周側には、リップ６７が全周に亘って形成されている。上記した密着部６６とリップ６７とが、本発明の「被挟着部」に相当する。
【００２９】
本実施形態のコネクタは上記のような構造であって、続いてその作用について説明する。  
まず、待ち受け側ハウジング１０がパネル１に対して待ち受け状態で仮保持される。それには、待ち受け側ハウジング１０がパネル１の裏側から取付孔２に嵌合されて、仮保持片２０を弾性撓みさせつつ押し込まれ、図３に示すように、フランジ１５が取付孔２の裏面側の孔縁部３Ｒに当たるまで押し込まれたところで、仮保持片２０が復元変位して係止部２１が取付孔２の表面側の孔縁部３Ｓに係止する。これにより待ち受け側ハウジング１０は、図２及び図３に示すように、取付孔２を貫通してフード部１２をパネル１の表面側に突出させた形態において、待ち受け状態で仮保持される。
【００３０】
嵌合側ハウジング３０は、図１及び図６に示すように、グロメット６０が被着されるとともに、スライドレバー５０が初期位置に装着された形態で準備される。この嵌合側ハウジング３０が、図３の矢線に示すように、待ち受け状態に仮保持された待ち受け側ハウジング１０に対して正面から嵌合される。初期嵌合状態では、図１１に示すように、フォロワピン２５が対応するカム溝５３の始端に臨み、続いてスライドレバー５０を押し込むと、既述したカム作用によって、嵌合側ハウジング３０が待ち受け側ハウジング１０に引き寄せられて嵌合が進み、両ハウジング１０，３０が正規嵌合されたのち、図１５に示すように、スライドレバー５０がロック位置に至ってロックされる。
【００３１】
この間に、嵌合側ハウジング３０に設けられた仮保持解除板４０が、待ち受け側ハウジング１０のパネル１に係止している仮保持片２０に乗り上げて内方に次第に撓み変位させ、両ハウジング１０，３０が正規嵌合したところで、図１４に示すように、パネル１の取付孔２の表面側の孔縁部３Ｓに対する係止が解除される。  
続いて、嵌合側ハウジング３０が待ち受け側ハウジング１０ともども取付孔２を通って押し込まれ、終盤になると、図１６に示すように、嵌合側ハウジング３０に設けられた本保持片４５の係止部４６が取付孔２の孔縁部３Ｓに当たることで、同本保持片４５が内方に撓み変位しつつ押し込まれ、併せてグロメット６０の密着部６６が取付孔２の表面側の孔縁部３Ｓに当たる。
【００３２】
さらに嵌合側ハウジング３０が押し込まれると、図１９に示すように、グロメット６０の密着部６６並びにリップ６７が弾縮して取付孔２の表面側の孔縁部３Ｓに押し付けられるとともに、係止部４６が取付孔２を通過することで、本保持片４５が復元変位して同係止部４６が取付孔２の裏面側の孔縁部３Ｒに係止する。これにより、待ち受け側ハウジング１０と正規嵌合された嵌合側ハウジング３０が、パネル１に対して本保持され、併せて取付孔２の表面側の孔縁部３Ｓがシールされることになる。
【００３３】
なお、スライドレバー５０がロック位置まで正規に押し込まれないと、図２１ないし図２４に示すように、両ハウジング１０，３０が正規嵌合には至らず、いわゆる半嵌合状態に留まるおそれがある。しかしながらこの場合は、スライドレバー５０の操作板５２が嵌合側ハウジング３０の周壁３２の上面から突出しているから、嵌合側ハウジング３０を取付孔２内に押し込もうとした場合に、図２４に示すように、操作板５２が取付孔２の孔縁部３Ｓに当たることで嵌合側ハウジング３０の押し込み操作ができず、スライドレバー５０がロック位置まで押し込まれていないことが確認できる。
【００３４】
仮に、スライドレバー５０がロック位置に至っていない状態で、パネル１の取付孔２に押し込まれたとしても、スライドレバー５０がロック位置の手前に留まっている限りは、図２２及び図２３に示すように、嵌合側ハウジング３０に設けられた本保持片４５の内方において、スライド板５１の変位許容溝５９が整合して対応していないから、本保持片４５の係止部４６が取付孔２の孔縁部３Ｓに当たって同本保持片４５を内方に撓み変位させようとしても、本保持片４５の延出端の下面が変位許容溝５９の側縁部に当たって撓み変位することが規制され、嵌合側ハウジング３０がそれ以上押し込まれることが阻止される。これにより、スライドレバー５０がロック位置まで押し込まれていないことが確認できる。  
上記いずれの場合も、スライドレバー５０を改めてロック位置まで押し込んだのち、既述した要領により、嵌合側ハウジング３０を取付孔２に押し込んで本保持するようにすればよい。
【００３５】
以上のように本実施形態によれば、パネル１に開口した取付孔２を防水するに当たり、嵌合側ハウジング３０に装着したグロメット６０のみで賄うことができ、部品点数の削減、ひいては組付工数の削減ができて、コスト低減を図ることができる。最終構造では、両ハウジング１０，３０がパネル１の裏側に押し込まれた形態となるから、パネル１の取付孔２の表側の省スペース化を図ることができる。
【００３６】
また、両ハウジング１０，３０の嵌合力を助勢するために嵌合側ハウジング３０にスライドレバー５０を設けているが、最終構造において、嵌合側ハウジング３０ともどもスライドレバー５０がパネル１の裏側に収容され、言い換えると、スライドレバー５０がパネル１の表側に露出しないから、見栄えが良く、また異物がスライドレバー５０の操作板５２に当たる等に起因した誤作動も未然に防止できる。
【００３７】
＜他の実施形態＞
本発明は上記記述及び図面によって説明した実施形態に限定されるものではなく、例えば次のような実施形態も本発明の技術的範囲に含まれる。  
（１）待ち受け側ハウジングに備える仮係止片や、嵌合側ハウジングに備える本係止片の数や配設箇所は、上記実施形態に例示したものに限らず、適宜に選定できるものである。  
（２）上記実施形態では、待ち受け側ハウジングと嵌合側ハウジングとの嵌合力を助勢するレバーとしてスライドレバーを例示したが、回動式レバーを適用したものであってもよい。  
（３）さらに本発明は、レバーを備えない形式のコネクタにも同様に適用することが可能である。  
（４）待ち受け側ハウジングと嵌合側ハウジングとは、雄雌が上記とは逆であってもよい。
【符号の説明】
【００３８】
１…パネル
２…取付孔
３Ｓ…（取付孔２の）表面側の孔縁部
３Ｒ…（取付孔２の）裏面側の孔縁部
１０…待ち受け側ハウジング
１５…フランジ
２０…仮保持片（仮保持手段）
３０…嵌合側ハウジング
４０…仮保持解除板（仮保持解除手段）
４５…本保持片（本保持手段）
４８…フランジ
５０…スライドレバー（レバー）
６０…グロメット
６４…取付部
６５…嵌合溝
６６…密着部（被挟持部）
６７…リップ（被挟持部）
【図１】
2015069835.tif 000003
【図２】
2015069835.tif 000004
【図３】
2015069835.tif 000005
【図４】
2015069835.tif 000006
【図５】
2015069835.tif 000007
【図６】
2015069835.tif 000008
【図７】
2015069835.tif 000009
【図８】
2015069835.tif 000010
【図９】
2015069835.tif 000011
【図１０】
2015069835.tif 000012
【図１１】
2015069835.tif 000013
【図１２】
2015069835.tif 000014
【図１３】
2015069835.tif 000015
【図１４】
2015069835.tif 000016
【図１５】
2015069835.tif 000017
【図１６】
2015069835.tif 000018
【図１７】
2015069835.tif 000019
【図１８】
2015069835.tif 000020
【図１９】
2015069835.tif 000021
【図２０】
2015069835.tif 000022
【図２１】
2015069835.tif 000023
【図２２】
2015069835.tif 000024
【図２３】
2015069835.tif 000025
【図２４】
2015069835.tif 000026